(57)【要約】      （修正有）【課題】ウォレットの大きさを大きくすることをなくして、携行性に優れるとともに、レシート等の紙片が紛れ込んだり、紛失することのないウォレットを提供する。【解決手段】紙幣収納部９と、紙幣収納部から区画されたレシート収納部１０と、硬貨収納部１１とを備え、レシート収納部はその底部にレシート２０の底辺を支持し、硬貨通過部を有する紙片支持部１５、１６を設けるとともに、紙片支持部を、レシート収納部に投入された硬貨がレシート収納部から硬貨収納部に移行可能な隙間が形成される位置に形成するようにした。【選択図】図２
0003141069.tif 000002
【実用新案登録請求の範囲】
【請求項１】
紙幣収納部と、紙幣収納部から区画されたレシート収納部と、硬貨収納部とを備え、レシート収納部はその底部にレシートの底辺を支持し、硬貨通過部を有する紙片支持部を設けるとともに、紙片支持部の高さを、レシート収納部に投入された硬貨がレシート収納部から硬貨収納部に移行可能な隙間が形成される位置に形成されたことを特徴とするウォレット。
【請求項２】
紙片支持部が、流通している最大硬貨の幅の間隔置きで同じ高さ位置にテープ状部材を、硬貨収納部とレシート収納部とを区画するレシート収納部隔壁の底部と、紙幣収納部とレシート収納部とを区画する紙幣収納部隔壁とにわたって設けて構成したことを特徴とする請求項１に記載のウォレット。
【請求項３】
紙片支持部が硬貨を硬貨通過部に案内可能な傾斜状に形成されていることを特徴とする請求項１又は請求項２に記載のウォレット。
【考案の詳細な説明】
【技術分野】
【０００１】
本考案はウォレットに関し、中でも硬貨を分離可能にする機能を有するウォレットに関するものである。
【背景技術】
【０００２】
一般的なウォレットは、互いに区画された紙幣収納部と硬貨収納部とを備え、紙幣は紙幣収納部に、硬貨は硬貨収納部にそれそれ分別して収納するようになっている。
こうしたものでは、例えばスーパーマーケットやコンビニエンスストア、その他の小売店等で買い物をし、精算所で清算した場合、つり銭は紙幣の上にレシートと小銭（硬貨）とをのせた状態で出される。
こうして出されたつり銭は硬貨を紙幣やレシートから別にして硬貨収納部に入れたり、硬貨を紙幣やレシート上を滑らして硬貨収納部に流し込んだりした後、紙幣やレシートは紙幣収納部に収納するのであるが、硬貨を紙幣やレシートから別に選り分ける時に時間がかかり面倒である上、周囲に散らばってしまうおそれもあり、また流し込むときでも周囲に散らばってしまう場合もある。
【０００３】
こうした問題に対処するために、例えば特許文献１に示すように、皮革又は皮革に類似した素材又は布及び紙等で造られた、紙幣と硬貨を収納する財布で、同一収納口より紙幣と硬貨同時に収納しても、内部で別べつの収納部に納まる構造を持つウォレットであって、内部を二重袋底を持つ収納部があり、一重目の底の部分に硬貨だけが通過できる通過口が設け、一重目の収納部には紙幣が残り、硬貨は一重目の収納部に収納された紙幣の底を通過し、二重目の収納部に入り、一重目は紙幣だけが残り、そこが紙幣収納部であり一重目の底を通過した硬貨は、二重目に収納され、そこが硬貨収納部となるように構成したものが提案されている。
【０００４】
ところがこうしたものでは、紙幣の収納部に複数の紙幣が収納されている場合に、硬貨をその上方から投入した硬貨が紙幣の間に入り込むと硬貨収納部に出てこない場合が生じる。
そこで、かかる場合でも紙幣収納部から貨幣が確実に抜け落ちて硬貨収納部に入るようにするためには、紙幣収納部の下方に硬貨通過用の空間を形成しなくてはならず、その硬貨通貨用の空間分、ウォレットの形状が大型化してしまい、携行には不便なものとなってしますという問題があった。
更に、レシートは紙幣より小さいために、レシートが紙幣の収納部に投入されて紙幣の中に紛れ込むと、紙幣を取り出すときに一緒に出て紛失してしまうおそれもあるという問題もある。
【特許文献１】特開平１１−１８８１２号公報
【考案の開示】
【考案が解決しようとする課題】
【０００５】
本考案は上記問題点に鑑みて提案されたもので、ウォレットの大きさを大きくすることをなくして、携行性に優れるとともに、レシート等の紙片が紛れ込んだり紛失することのないウォレットを提供できるようにすることを目的とするものである。
【課題を解決するための手段】
【０００６】
上記目的を達成するために本考案にかかるウォレットは、紙幣収納部と、紙幣収納部から区画されたレシート収納部と、硬貨収納部とを備え、レシート収納部はその底部にレシートの底辺を支持し、硬貨通過部を有する紙片支持部を設けるとともに、紙片支持部の高さを、レシート収納部に投入された硬貨がレシート収納部から硬貨収納部に移行可能な隙間が形成される位置に形成されたことを最も主要な特徴とするものである。
【０００７】
また、本考案にかかるウォレットでは、紙片支持部が、流通している最大硬貨の幅の間隔置きで同じ高さ位置にテープ状部材を、硬貨収納部とレシート収納部とを区画するレシート収納部隔壁の底部と、紙幣収納部とレシート収納部とを区画する紙幣収納部隔壁とにわたって設けて構成したことや、紙片支持部が硬貨を硬貨通過部に案内可能な傾斜状に形成されていることも特徴とするものである。
【考案の効果】
【０００８】
本考案にかかるウォレットでは、紙幣収納部と、紙幣収納部から区画されたレシート収納部と、硬貨収納部とを備え、レシート収納部は、その底部にレシートの底辺を支持し、硬貨通過部を有する紙片支持部を設けるとともに、紙片支持部の高さを、レシート収納部に投入された硬貨がレシート収納部から硬貨収納部に移行可能な隙間が形成される位置に形成するようにしてあるので、紙幣収納部の下方に硬貨通過部を設けたものに比べて高さを低くすることができる。
これにより、ウォレットの大きさを大きくすることなく携行に至便なものにすることができる利点がある。
【０００９】
更に、紙幣とこれより幅の狭いレシートは硬貨とともに紙幣収納部９とは別のレシート収納部に硬貨とともに投入され、レシート収納部にレシートのみが収納されるので、レシートが紙幣に紛れることもなく、また紙幣とともに取り出されて紛失してしまうのをなくすことができる利点のある。
【考案を実施するための最良の形態】
【００１０】
以下、本考案にかかるウォレットの好ましい実施の形態を図面に基づいて説明する。
図１はウォレットの全体斜視図、図２はウォレットを開いた状態の斜視図であって、図中符号１はウォレットを全体的に示す。
このウォレット１は、皮革や皮革に似せたPVCシート、布や和紙等を矩形に裁断して形成した外皮部分２と内皮部分３とを中間に心材を介在させた状態で周囲を縫着して、背中分部分５、内側合わせ部分６及び外側被せ部分７の３つ折可能に形成し、内側合わせ部分６とこれが対面する背中分部分５との間に、紙幣収納部９と、紙幣収納部９から区画されたレシート収納部１０と、硬貨収納部１１とが形成されている（図２参照）。
【００１１】
上記紙幣収納部９、レシート収納部１０および硬貨収納部１１はそれぞれ区画壁１２・１３で区画されている。
各区画壁１２・１３は、比較的硬質で薄い合成樹脂シートを矩形にし、その表面をセーム革やこれに似せた樹脂シートや布若しくは和紙等で覆い、その両端部分を前記内側合わせ部分６とこれが対面する背中分部分５との間にわたって設けられたマチ形成用部材１４に縫着して形成されている。
このマチ形成用部材１４は、セーム革やこれに似せた樹脂シートや布若しくは和紙等の比較的柔軟なシート状素材で、硬貨収納部１１の左右の両側方並びに前方の三方を形成する部分と、レシート収納部１０及び紙幣収納部９の側方部とを一体に形成してある。
また、レシート収納部１０の下辺の左右の側方部分及び中央部分が、後述する紙片支持部１５・１６を介して紙幣収納部９を形成する区画壁１２に縫着されることによりレシート収納部１０の底部が形成されている。
【００１２】
レシート収納部１０の下辺の左右の側方部分の紙片支持部１５は、レシート収納部１０の隔壁１３の下辺部分を延出しその折り返し他端部を紙幣収納部９の区画壁１２に縫着して形成するとともに、中央部分の紙片支持部１６は細幅のテープ部材を折り返し、一端をレシート収納部１０の区画壁１３に他端を紙幣収納部９の区画壁１２にそれぞれ縫着して形成してある。
上記紙幣収納部９、レシート収納部１０および硬貨収納部１１との関係は図２及び図３に示すようになっている。
図３における符号１７は紙幣収納部９の底部となるウォレット１の折り返し線であって、レシート収納部１０を形成する区画壁１３の下辺は、当該レシート収納部１０から硬貨１９が硬貨収納部１１に抜け出られる高さ位置ｈとなるように設けられるとともに、レシート収納部１０の底部を形成する紙片支持部１５・１６同士間の横方向の隙間Ｌは硬貨１９９の幅Ｗより広く開けるようにが設けられる。
【００１３】
ここでレシート収納部１０から硬貨１９が硬貨収納部１１に抜け出られる隙間Ｓは、必ずしも現在流通している最大硬貨（例えば５００円硬貨）１９の径には限定されない。
すなわち、上記隙間Ｓが最大硬貨１９の径より狭い場合、例えばレシート収納部１０にレシート２０と硬貨１９が一緒に投入されても、図２に示すように硬貨収納部１１を開くと、硬貨１９はレシート収納部１０から硬貨収納部１１に滑り出てくるので、当該隙間Ｓは少なくとも硬貨１９の厚みより広いものにすれば足りる。
また、一般にレシート２０は、紙幣２１より幅狭くなっていることから、ウォレット１を従来のような紙幣２１を収納できる大きさ（高さ）Ｈにしてもレシート収納部１０の下方に少なくとも硬貨１９の厚みより広い隙間Ｓを十分に形成することができるので、本考案のウォレット１は紙幣２１を紙幣収納部９に収納する従来のウォレット１と略同じ大きさに形成することができる。
尚、図中符号２２はウォレット１の閉じた状態を保持する止め付け具であり、図中符号２３は外側被せ部分７の内面側にライン状に形成された切り込みによるカード収納部である。
【００１４】
上記のように構成された本考案のウォレット１の使用手順を次に説明する。
コンビニエンスストアやスーパーマーケットで所望する商品を持って精算所でウォレット１を開いて紙幣収納部９から高額の紙幣２１を取り出して精算した場合、つり銭が図３に示すように小額の紙幣２１の上にレシート２０と硬貨１９を載せた状態で渡される。
こうしたつり銭を受け取ると、小額の紙幣２１の上に載っているレシート２０と硬貨１９をそのままレシート収納部１０に滑り込ませる。
【００１５】
斯くしてレシート収納部１０に投入されたレシート２０と硬貨１９は、レシート２０がレシート収納部１０の紙片支持部１５・１６に受け止められ、硬貨１９はレシート収納部１０の両端の紙片支持部１５の傾斜部分で中央部に案内されて下降し、図４に示すように底部の隙間Ｓから硬貨収納部１１に流れて収納される。
しかる後、手には小額の紙幣２１が残っているのでこれを紙幣収納部９にしまうと、小額の紙幣２１の上にレシート２０と硬貨１９を載せた状態で渡されたつり銭の紙幣２１、レシート２０、硬貨１９はそれぞれ区分けされた状態で個別に収納される。
【００１６】
なお、上記実施の形態では、紙幣２１をそのまま収納できる形態のウォレット１にしてあるが、２つ折のウォレット１に実施することができるのは勿論のこと、図５に示すように硬貨収納部１１をウォレット１の本体の外面に露出させることもできる。
こうした場合、小銭（硬貨）が必要なときには硬貨収納部１１から簡単に取り出すことができ一層至便なものにすることができる利点がある
また、上記実施の形態では硬貨収納部１１の両端寄り部分の紙片支持部１５を傾斜状にしてあるが、本考案はこうしたものに限られず、図６に示すようにレシート収納部１０の下辺に細幅テープを同一高さ位置で一直線状に設けて紙片支持部１５・１６を形成することもできる。
こうした場合の作用・効果は上述したのと同様であるので詳細な説明は省略する。
【図面の簡単な説明】
【００１７】
【図１】は本考案にかかるウォレットの斜視図である。
【図２】は本考案にかかるウォレットを開いた状態の斜視図である。
【図３】は本考案にかかるウォレットの作用説明図である。
【図４】は図３におけるＡ―Ａ線断面図である。
【図５】は本考案にかかるウォレットの硬貨収納部の変形例を示す斜視図である。
【図６】は本考案にかかるウォレットの硬貨収納部の別の変形例を示す斜視図である。
【符号の説明】
【００１８】
１・・・ウォレット
９・・・紙幣収納部
１０・・・レシート収納部
１１・・・硬貨収納部
１２・１３・・・区画壁
１５・１６・・・紙片支持部
１９・・・硬貨
２０・・・レシート
２１・・・紙幣
【図１】
0003141069.tif 000003
【図２】
0003141069.tif 000004
【図３】
0003141069.tif 000005
【図４】
0003141069.tif 000006
【図５】
0003141069.tif 000007
【図６】
0003141069.tif 000008
【手続補正書】
【提出日】平成20年1月7日(2008.1.7)
【手続補正３】
【補正対象書類名】図面
【補正対象項目名】図１
【補正方法】変更
【補正の内容】
【図１】
0003141069.tif 000009